(57)【要約】  本発明は、電球であって、バルブ（１）内に配置された少なくとも１つの発光部材（４）を有し、かつ遮蔽装置（８；８′）を備えており、バルブ（１）は電球口金部（５；５′）の保持部分（５０）内に固定されている形式のものに関する。本発明に基づき遮蔽装置（８；８′）は、バルブ（１）の、電球口金部の保持部分（５０）から突出している区分（１０，１１）を取り囲んでいる。
2008533673.tif 000002
【特許請求の範囲】
【請求項１】
電球であって、バルブ（１）内に配置された少なくとも１つの発光部材（４）を有しており、バルブ（１）は電球口金部（５；５′）の保持部分（５０）内に固定されており、電球は遮蔽装置（８；８′）を備えている形式のものにおいて、遮蔽装置（８；８′）は、バルブの、前記保持部分（５０）から突出している区分（１０）を取り囲んでいることを特徴とする、遮蔽装置を備えた電球。
【請求項２】
バルブ（１）の、電球口金部の保持部分（５０）から突出している区分は、バルブ（１）の、前記保持部分（５０）内に固定されていてかつ密閉された端部（１０）である請求項１に記載のランプ。
【請求項３】
バルブ（１）の、電球口金部の保持部分（５０）から突出している区分は、バルブ（１）の密閉された端部（１０）と回転対称的なバルブ区分（１２）との間に位置している移行区分（１１）を含んでいる請求項２に記載の電球。
【請求項４】
遮蔽装置（８；８′）は回転対称的なバルブ区分（１２）の一部分をも取り囲んでいる請求項３に記載の電球。
【請求項５】
遮蔽装置（８；８′）は環状に形成されている請求項１から４のいずれか１項に記載の電球。
【請求項６】
遮蔽装置（８；８′）は、電球口金部の構成部分（５０，５１，５２）に結合されている請求項１から５のいずれか１項に記載の電球。
【請求項７】
電球口金部の、遮蔽装置と結合されている構成部分は保持部分（５０）である請求項６に記載の電球。
【請求項８】
遮蔽装置（８′）は調節スリーブとして形成されており、調節スリーブは電球口金部（５′）のフランジ（５２）に接触していて、該フランジと結合されている請求項６に記載の電球。
【請求項９】
環状の遮蔽装置（８；８′）は、該遮蔽装置によって取り囲まれる所定のバルブ区分（１０）に対応する領域（８１；８１′）で、直径を減少されている請求項５から８のいずれか１項に記載の電球。
【請求項１０】
電球口金部の構成部分（５０，５１，５２）と遮蔽装置（８；８′）とは、金属からなっていて、互いに少なくとも１つの溶接部によって結合されている請求項６に記載の電球。
【請求項１１】
バルブ（１）は、所定の波長範囲の電磁放射線の透過量を減少させるためにフィルタ層を備えている請求項１に記載の電球。
【請求項１２】
フィルタ層は赤外線を通過させかつ光を反射させるようになっている請求項１１に記載の電球。
【発明の詳細な説明】
【技術分野】
【０００１】
本発明は、電球であって、電球のバルブ内に配置された少なくとも１つの発光部材を有し、かつ遮蔽装置を備えており、前記バルブは電球口金部の保持部分内に固定されている形式のものに関する。
【０００２】
前記形式の電球若しくはランプは、例えばドイツ連邦共和国特許出願第１０１４５４２７号明細書により公知である。該明細書には、自動車用前照灯のためのハロゲン電球若しくはハロゲンランプを記載してある。ハロゲン電球若しくはハロゲンランプは、１つのランプバルブ内に配置された２つのフィラメントを有し、かつ遮蔽装置を備えており、遮蔽装置も同じくランプバルブ内に配置されていて、両方のフィラメントのうちの１つのフィラメントの光の一部分を遮蔽するようになっている。
【０００３】
本発明の課題は、遮蔽装置を備える冒頭に述べた形式の電球を改善して、光若しくは散乱ビームの漏れ若しくは放出を減少させることである。
【０００４】
本発明に基づく電球は、電球のバルブ内に配置された少なくとも１つの発光部材（発光要素）を有し、かつ遮蔽装置を備えており、この場合に、バルブは電球口金部（単に、口金ともいう）の保持部分内に固定されており、遮蔽装置はバルブの、前記保持部分から突出している区分（部分）を取り囲んでいる。本発明に基づくこのような構成によって、電球の放射角を狭めて、光の漏れを減少させてある。
【０００５】
電球口金部の保持部分内に固定される１つの端部を密閉されてなるバルブを有する電球においては、バルブの、遮蔽装置によって取り囲まれる区分（部分）は、該密閉された端部（ピンチシール）であり、それというのは該密閉された端部から光若しくは散乱ビームは不都合に放出されているからである。有利には遮蔽装置は、バルブの密閉された端部と回転対称的なバルブ区分（本体区分若しくは中央区分）との間に位置している移行区分（移行部分）、つまり、バルブの密閉された端部と回転対称的なバルブ区分との間を延びているバルブ部分、換言すれば、バルブの密閉された端部と回転対称的なバルブ区分とをつないでいる結合区分（結合部分）をも付加的に取り囲んでいる。さらに有利には、遮蔽装置は、不都合な散乱ビームの漏れ若しくは放出を減少させるためにバルブの、回転対称的なバルブ区分の一部分をも取り囲んでいる。
【０００６】
本発明は、バルブにフィルタ部材（フィルタ要素）、例えば干渉フィルタ被覆を備えた電球において、バルブからの所定の波長範囲の電磁放射線の透過若しくは通過を減少させるためにも用いられるものである。この場合に遮蔽装置はフィルタ部材によって代替されており、フィルタ部材は、電球口金部の保持部分の近傍のバルブ区分、特にバルブ端部と回転対称的なバルブ区分との間の移行区分では低い遮蔽作用しか有していないものである。
【０００７】
遮蔽装置は電磁波若しくは電磁放射線の、遮蔽装置によって取り囲まれているバルブ区分からの放出の完全な遮断を保証するために、有利には環状に形成されている。遮蔽装置は、電球への遮蔽装置の確実な固定若しくは固着を保証するために電球口金部の構成部分に結合されている。本発明の有利な実施態様では電球口金部の構成部分、例えば保持部分、調節スリーブ若しくは口金フランジ及び遮蔽装置は、金属から成っており、これによって構成部分間の結合若しくは構成部分と遮蔽装置との間の結合は簡単に溶接によって行われるようになっている。金属からなる遮蔽装置はさらに、高い耐熱性、及び電球から発生するスペクトルのうちの電磁放射線に対する非透過性の利点を有している。
【０００８】
本発明の実施態様では遮蔽装置は、電球口金部の構成部分、つまり電球口金部の保持部分若しくは調節スリーブに結合されており、或いは遮蔽装置は、それ自体調節スリーブとして形成されており、該調節スリーブは電球口金部のフランジに接触若しくは当接していて、つまり電球口金部のフランジに載設されていて該フランジと結合されている。これらの構成は製作技術的な理由から有利である。
【０００９】
有利な実施態様では環状の遮蔽装置は、該遮蔽装置の、所定のバルブ区分、つまり密閉された端部、すなわちピンチシール部又は封止部、若しくは移行区分を取り囲んでいる領域で、遮蔽装置によってバルブを密接に取り囲み、その結果遮蔽作用を改善しかつ汚れの侵入を避けるために、遮蔽装置の直径を減少されている。
【００１０】
本発明の別の実施態様ではバルブは、所定の波長領域の電磁放射線の透過量若しくは通過量を減少させるためにフィルタ層若しくはフィルタ被膜、つまりフィルタ要素を備えている。フィルタ層若しくはフィルタ被膜は、赤外線を通過させかつ光若しくは可視光を実質的に通さない、つまり反射させるようになっている。
【００１１】
次に本発明を図示の実施例に基づき詳細に説明する。図面において、
図１は、本発明に基づく電球の第１の実施例の縦断面図であり、
図２は、図１に示す電球の遮蔽装置の縦断面図であり、
図３は、図２に示す遮蔽装置の斜視図であり、
図４は、本発明に基づく電球の第２の実施例の縦断面図であり、
図５は、図４に示す遮蔽装置及び電球口金部の一部分の拡大図であり、
図６は、本発明に基づく電球の第３の実施例の遮蔽装置及び電球口金部の一部分の縦断面図である。
【００１２】
本発明の図１に示す第１の実施例の白熱電球、有利にはハロゲン電球は、車両用赤外線前照灯内の赤外線発光器若しくは赤外線源として用いられ、若しくは夜間赤外線表示装置の構成部分である。白熱電球はガラス製のバルブ１を有しており、バルブ（ランプバルブ）は密閉された１つの端部１０を備えており、該端部からは、バルブ１内に配置された発光部材としてのフィラメント４のための２つの導電部材２，３を外部へ導き出してある。密閉された端部１０はピンチシールとして形成されており、ピンチシールはバルブ１の移行区分１１によってバルブ１の、フィラメント４を取り囲む回転対称的な区分１２につながれている。バルブ１の回転対称的な、有利には楕円形の区分１２の外側の表面は、干渉フィルタ（図示省略）で被覆されており、干渉フィルタは赤外線を通過させかつ光を通過させないものである。
【００１３】
バルブ１のピンチシール１０は、環状の保持部分５０内に固定されており、保持部分は電球口金部５の構成部分として形成されている。電球口金部５は金属製口金（金属製ベース）として形成されている。電球口金部は金属製の保持部分５０のほかに、環状の調節スリーブ５１及び口金フランジ５２、並びに２つの接続端子６，７及び、電気絶縁性の材料から成る口金部材５３を含んでいる。電気絶縁性の口金部材５３は、接続端子と金属製の口金構成部分５０，５１，５２との間の電気絶縁のために用いられている。環状の調節スリーブ５１は環状の保持部分５０と溶接されていて、環状のつば５１０を備えており、該つば（縁）は口金フランジ５２と接触していて、該口金フランジに溶接されている。
【００１４】
白熱電球１は金属製で環状（リング状）の遮蔽装置８を備えており、遮蔽装置は互いに異なる直径の２つの環状区分（筒区分）８１，８２を有している。第１の環状区分８１は、ピンチシール１０の、保持部分５０から突出する区分及びバルブの移行区分１１、並びにバルブの楕円形の区分１２のわずかな部分を取り囲んでいる。第２の環状区分８２は、保持部分５０及び調節スリーブ５１を取り囲んでいる。調節スリーブ５１は、遮蔽装置８の３つの貫通部（切欠き部）８０の領域で保持部分５０と溶接されている。第２の環状区分８２は調節スリーブ５１と溶接されている。ランプの口金部を形成するために、遮蔽装置８をピンチシール１０に被せ嵌めて、次いで保持部分５０をピンチシール１０上に組み付けてある。これらの構成ユニットは、調節スリーブ５１と一緒に口金フランジ５２に装着されて調節され、かつ溶接される。遮蔽装置８の環状区分８２、調節スリーブ５１及び保持部分５０の直径は、これらの部材の仮想の軸線に沿った相互の相対移動を可能にするように相互に適合され若しくは規定されている。前記調節過程の間に若しくは調節過程の後に、調節スリーブ５１と保持部分５０との間の溶接は遮蔽装置８の貫通部８０を介して行われる。さらに調節スリーブ５１は口金フランジ５２に沿って正確な位置に移され、つまり正確に位置決めされて、つば５１０を口金フランジに溶接される。口金フランジに沿って調節スリーブを調節するのに対して、遮蔽装置８は調節スリーブ５１に沿って正確な位置に移されて、調節スリーブ５１と溶接される。
【００１５】
減少された直径、つまり小さい方の直径の第１の環状区分８１は、前述のバルブ区分１０，１１，１２を密接に取り囲んでいて、光が干渉フィルタ被覆のない非回転対称的なバルブ区分１０，１１から、若しくは干渉フィルタ被覆の有効性に低い箇所から漏れることを防止している。ガラス表面の損傷若しくはガラス表面に施された干渉フィルタ被覆の損傷を避けるために、第１の環状区分８１の環状の縁部は面取り部を備えている。
【００１６】
図４には、本発明の第２の実施例の白熱電球の縦断面を概略的に示してある。該白熱電球は図１に示す第１の実施例と次の点で異なっており、つまり、口金部５′は調節スリーブを有しておらず、第２の実施例の遮蔽装置８′は第１の実施例の調節スリーブ５１の機能をも担っている。電球若しくはランプのほかの構成部分は、第１及び第２の実施例において互いに同じである。したがって図１乃至図４において同一の構成部分には同じ符号を付けてある。
【００１７】
遮蔽装置８′は直径の互いに異なる２つの環状区分８１′，８２′、及びつば８３′を有しており、つばは口金フランジ５２に接触していて、該口金フランジと溶接されている。第１の環状区分８１′はピンチシール１０の、保持部分５０から突出する区分及びバルブの移行区分１１、並びにバルブの回転対称的な区分１２のわずかな部分を取り囲んでいる。ガラス表面の損傷若しくはガラス表面に施された干渉フィルタ被覆の損傷を避けるために、第１の環状区分８１′の環状の縁部は面取り部を備えている。第２の環状区分８２′は保持部分５０を取り囲んでいて、該保持部分と溶接されている。保持部分５０は遮蔽装置８′内に配置されており、該遮蔽装置はここでは電球口金部５′の構成部分として形成されていて、調節スリーブの機能を生ぜしめるようになっている。図５は、保持部分５０、ピンチシール１０及び遮蔽装置８′の拡大断面図である。口金部を形成するために、遮蔽装置８′をピンチシール１０に被せ嵌めて、次いで保持部分５０をピンチシール１０上に組み付けてある。次いで、フィラメント４を有する密閉されたバルブ１、導電部材２，３、保持部分５０及び遮蔽装置８′から成る構成ユニットは、口金フランジ５２に装着され、これによってつば８３′は口金フランジ５２上に当接している。遮蔽装置の環状区分８２′及び保持部分５０の直径は、該保持部分と遮蔽装置８′の環状区分とが該保持部分及び遮蔽装置の仮想の軸線に沿って互いに相対的に移動できるように相互に適合され若しくは規定されている。前記構成ユニットは、口金フランジ５２上で正確に位置決めされ、つまり正確な位置に調節され、次いで環状区分８２′と保持部分５０とは位置決めされた位置で互いに溶接され、かつつば８３′と口金フランジ５２とは位置決めされた位置で互いに溶接される。
【００１８】
図６には、本発明に基づく電球の第３の実施例の断面を示してある。第３の実施例は図１に示す第１の実施例とほぼ一致（合致）している。第３の実施例は第１の実施例と次の点でのみ異なっており、つまり、第３の実施例において調節スリーブ５１と遮蔽装置８の第２の環状区分８２とは互いにオーバーラップしておらず、すなわち重なり合っておらず、また該第２の環状区分８２は貫通部８０（図１）を備えていない。第３の実施例において調節スリーブ５１も遮蔽装置８の第２の環状区分８２も、保持部分５０に溶接されている。第３の実施例及び第１の実施例の他の構成部分は互いに一致している。
【００１９】
本発明は前述の実施例に限定されるものではなく、例えばテールランプ、ブレーキランプ、ウインカー、若しくは点滅灯にも用いられ、これらのランプのバルブは、赤色若しくはオレンジ色の光を形成するために選択的に光透過性の干渉フィルタ被膜を備えている。この場合に遮蔽装置は、保持部分の近傍の領域でバルブから漏れ出る若しくは放出する光を遮蔽する機能を生ぜしめるようになっており、バルブの、保持部分の近傍の領域ではフィルタ作用は光の大きな入射角に基づき不十分であり、若しくはフィルタ被覆は施されていない。本発明は、さらに放電ランプにも用いられ、またほかのバルブ形状のバルブ、例えば球形、円錐形若しくは円筒形のバルブから成る電球若しくはランプにも用いられるものである。さらに本発明は、バルブにフィルタ被覆の施されていない電球若にも、電球の光線若しくはライトの出射角を制限するために用いられるものである。電球口金部若しくは遮蔽装置は、耐熱性のプラスチックから成っていてよく、電球口金部の一部分を耐熱性のプラスチックから形成していてよい。
【図面の簡単な説明】
【００２０】
【図１】本発明に基づく電球の第１の実施例の縦断面図
【図２】図１に示す電球の遮蔽装置の縦断面図
【図３】図２に示す遮蔽装置の斜視図
【図４】本発明に基づく電球の第２の実施例の縦断面図
【図５】図４に示す遮蔽装置及び電球口金部の一部分の拡大図
【図６】本発明に基づく電球の第３の実施例の一部分の縦断面図
【符号の説明】
【００２１】
１  バルブ、  ２，３  導電部材、  ４  フィラメント、  ５，５′  電球口金部、  ６，７  接続端子、  ８，８′  遮蔽装置、  １０  端部、  １１  移行区分、  １２  区分、  ５０  保持部分、  ５１  調節スリーブ、  ５２  口金フランジ、  ５３  口金部材、  ８０  貫通部、  ８１，８１′，８２，８２′  環状区分
【図１】
2008533673.tif 000003
【図２】
2008533673.tif 000004
【図３】
2008533673.tif 000005
【図４】
2008533673.tif 000006
【図５】
2008533673.tif 000007
【図６】
2008533673.tif 000008
【国際調査報告】
2008533673.tif 000009
2008533673.tif 000010
2008533673.tif 000011
2008533673.tif 000012